(57)【要約】【課題】  従来のタッチパネルの付いた映像装置を搭載し、商品をタッチパネルにより選択させる自動販売機は、これらの対応を電子データの追加や変更、削除により簡単にできる反面、この装置が故障すると、なにも販売できなくなってしまう危険性があった。【解決手段】  商品選択画面や各種案内などの販売コンテンツ、販促などのコンテンツ情報、各機器の動作に必要なシステム情報をＨＤＤや、ＤＶＤなどの大容量記録媒体に格納したタッチパネル式映像装置１に商品選択と販売に必要な最低限のデータだけを格納した可動部のないバックアップ用フラッシュメモリー４を内蔵し、この内蔵バックアップ用フラッシュメモリー４の情報と書き換え用フラッシュメモリー２を設け、前記大容量記録媒体と前記内蔵バックアップ用フラッシュメモリー４とを接続し、さらに大容量記録媒体を自動販売機コントローラ５に接続した自動販売機用タッチパネル式映像装置。【選択図】図１
2006133985.tif 000002
【特許請求の範囲】
【請求項１】
商品選択画面や各種案内などの販売コンテンツ、販促などのコンテンツ情報、各機器の動作に必要なシステム情報をハードディスクドライブや、デジタルバーサタイルディスクなどの大容量記録媒体に格納したタッチパネル式映像装置に、商品選択と販売に必要な最低限のデータだけを格納した可動部のないバックアップ用フラッシュメモリーを内蔵し、この内蔵バックアップ用フラッシュメモリーの情報と書き換え用フラッシュメモリーを設け、前記大容量記録媒体と前記内蔵バックアップ用フラッシュメモリーとを接続し、さらに大容量記録媒体を自動販売機コントローラに接続したことを特徴とする自動販売機用タッチパネル式映像装置。
【発明の詳細な説明】
【技術分野】
【０００１】
本発明は、タッチパネル式映像装置を搭載し、商品をタッチパネルにより選択する自動販売機用タッチパネル式映像装置に関するものである。
【背景技術】
【０００２】
従来の自動販売機における広告、告知用映像装置としては、複数種類の販売商品から所望の前記販売商品を選択するためのセレクションボタンと、味調節、カップ選択の販売形態モードプログラムを搭載し、各モードを選択設定可能にした制御装置と、液晶、ＣＲＴ、プラズマ等のディスプレイを搭載し、制御装置とディスプレイを連動し各販売モードに対応したガイド画面を表示できるようにしたマルチ販売形態対応カップ式自動販売機（例えば、特許文献１参照）が存在している。
【特許文献１】特開２０００−０８２１６５号公報（特許請求の範囲の欄、発明の効果の欄、及び図１を参照）
【発明の開示】
【発明が解決しようとする課題】
【０００３】
本発明に係る自動販売機用タッチパネル式映像装置は、次の課題を解決することが目的である。
従来の技術は、自動販売機にタッチパネル式映像装置を搭載することにより、商品選択画面のメニューデータや商品ＰＲ用画像などのコンテンツデータ、動作に関わる基本プログラムなどを映像装置に記憶させる必要がある。これらのデータは、この自動販売機の映像装置だけが必要なデータであったり、自動販売機だけが必要なデータであったり、映像装置も自動販売機も両方必要なデータであったりする。
そのためこれらの情報は、タッチパネル式映像装置、自動販売機、外部の支援ツールであるパソコンやハンディーターミナルの間を行き来し、それぞれの装置が必要なデータをそれぞれが記憶し、活用するシステムとなる。
これらのデータのやりとりには、有線／無線通信・メモリーカードなどの汎用メディアを使い行う。
自動販売機は、販売する商品を臨機応変に変え、売れ筋商品をラインアップすることにより、高い売上を確保することができる。売れ行きによっては、価格を変えるなど、こまめな対応も必要になる。
また、販促のためのＰＲや、設置先の要望によるＰＲ、利用者を楽しませたり、喜ばせる演出なども必要になる。
タッチパネルの付いた映像装置を搭載し、商品をタッチパネルにより選択させる自動販売機は、これらの対応を電子データの追加や変更、削除により簡単にできる反面、この装置が故障すると、なにも販売できなくなってしまう危険性もはらんでいる。
【課題を解決するための手段】
【０００４】
上記課題を解決するための本発明の第１発明は、請求項１に記載された通りの自動販売機用タッチパネル式映像装置であり、次のようなものである。
商品選択画面や各種案内などの販売コンテンツ、販促などのコンテンツ情報、各機器の動作に必要なシステム情報をハードディスクドライブ（以下、ＨＤＤという）や、デジタルバーサタイルディスク（以下、ＤＶＤという）などの大容量記録媒体に格納したタッチ式映像装置に商品選択と販売に必要な最低限のデータだけを格納した可動部のないバックアップ用フラッシュメモリーを内蔵し、この内蔵バックアップ用フラッシュメモリーの情報と書き換え用フラッシュメモリーをタッチパネル式映像装置に設けたフラッシュメモリー挿入口に着脱自在に設け、前記大容量記録媒体と前記内蔵バックアップ用フラッシュメモリーとを接続し、さらに大容量記録媒体を自動販売機コントローラに接続する構成である。
【発明の効果】
【０００５】
本発明に係る自動販売機用タッチパネル式映像装置は、上記説明のような構成であるので、以下に記載する効果を奏する。
タッチパネル式映像装置には、商品選択画面や各種案内などの販売コンテンツ、販促などのコンテンツ情報、動作に必要なシステム情報が、ＨＤＤやＤＶＤなどの大容量記録媒体に格納させている。これらの記憶媒体は、モータなどの可動部品を使った装置のため、故障も多い。
そこで本発明は、例えこれらの部品が故障しても、販売だけは出来るように、商品選択と販売に必要な最低限のデータだけを絞り込み、可動部のないフラッシュメモリー（ＣＦ：コンパクトフラッシュ（登録商標）など）に格納する（最低限必要なデータに絞り込むため、容量の小さなフラッシュメモリーに格納できるようになる。）。そうすることにより、ＨＤＤが故障しても、このフラッシュメモリーのデータをもとにシステムが起動するため、販促などのその他の機能は使えなくても、商品の販売だけは可能となるという効果を奏する。
【発明を実施するための最良の形態】
【０００６】
商品選択画面や各種案内などの販売コンテンツ、販促などのコンテンツ情報、各機器の動作に必要なシステム情報をＨＤＤや、ＤＶＤなどの大容量記録媒体に格納したタッチ式映像装置に商品選択と販売に必要な最低限のデータだけを格納した可動部のないバックアップ用フラッシュメモリーを内蔵し、この内蔵バックアップ用フラッシュメモリーの情報と書き換え用フラッシュメモリーをタッチパネル式映像装置に設けたフラッシュメモリー挿入口に着脱自在に設け、前記大容量記録媒体と前記内蔵バックアップ用フラッシュメモリーとを接続し、さらに大容量記録媒体を自動販売機コントローラに接続した自動販売機用タッチパネル式映像装置。
【実施例】
【０００７】
以下、本発明の実施例を添付図面で詳細に説明する。
図１に示すものは、本発明に係る自動販売機用タッチパネル式映像装置の概略を示すブロック図、図２は本発明に係る自動販売機用タッチパネル式映像装置における自動販売機のコントローラからデータを変更する場合の概略を示すブロック図、図３は本発明に係る自動販売機用タッチパネル式映像装置のフローチャート図である。
【０００８】
従来のタッチパネル式映像装置は、商品選択画面や外国語対応を含む各種案内などの販売コンテンツ、販促などのコンテンツ情報、動作に必要な各種設定やシステム情報が、ＨＤＤやＤＶＤなどの大容量記録媒体に格納させている。これらの記憶媒体は、モータなどの可動部品を使った装置のため、故障も多い。
そこで本発明は、例えこれらの部品が故障しても、販売だけは出来るように、商品選択と販売に必要な最低限のデータだけを絞り込み、可動部のないフラッシュメモリーに格納する。そうすることにより、ＨＤＤが故障しても、このフラッシュメモリーのデータをもとにシステムが起動するため、販促などのその他の機能は使えなくても、商品の販売だけは可能となる。
【０００９】
先ず、図３に基づいて本発明を採用する自動販売機用タッチパネル式映像装置についてフローチャートで説明する。
タッチパネル式映像装置１は、待機画面（タイマーで指定し、時間帯まで表示できる）は消灯していて、遠距離人感センサーで検出し、ＮＯであれば画面消灯（省エネのため）、ＹＥＳであれば待機画面表示（なお、待機画面表示として準備中の場合はサービスマン等がお詫びする画面を表示する）、さらに近距離人感センサーで検出し、ＮＯであれば待機画面表示、ＹＥＳであればメニュー画面オープン、「いらっしゃいませ」、「タッチパネルで操作してください」等、販売中表示、金額表示がなされ、購入者が商品選択画面でホット・コールド選択、飲料グループ選択、おすすめ選択、ミニフレーバー表示、売切れ表示、つり銭切れ、製氷中、カップ切れ等の表示に基づいて選択する。
この商品選択画面では、コイン販売、プリペイド、ワンベンド、ＩＤ、電子マネー等の各種カード販売、入金案内、入金、あるいはカードでの入金金額表示、商品価格、到達フレーバー、販売可表示等をし、商品選択をしてもらい、さらに調理の選択を購入者の好みで選択して販売を終了する。
なお、長時間入金がされない場合は、再度入金案内を表示するとか、商品選択の初期画面に戻す。なお、異常販売の場合のお詫び画面と返金を行う等は当然のことである。
このようなハード構成を考えた上で、実際の自動販売機運用を考えると、図１、図２に示すようなデータの管理方法、受け渡し方法を採用することができる。
【００１０】
次に、商品入れ替えにより商品販売画面を入れ替える場合、予め事務所等で作成した記録媒体を用いて行う実施例を図１に基づいて説明する。
（１）タッチパネル式映像装置１に各種情報（既存の情報とその情報の内、入れ替えた商品等の情報）の入った書き換え用コンパクトフラッシュ（登録商標）（データメモリーカード等）２を挿入する。タッチパネル式映像装置１内のハードディスク３、内蔵のバックアップ用コンパクトフラッシュ（登録商標）（データメモリーカード等）４に商品レイアウト、商品画像、商品説明、売価、調理コード、フレーバー番号等の商品販売に必要なデータを格納する。
以上のように格納することにより、
（２）タッチパネル式映像装置１のメンテナンスモードにて自動販売機のコントローラに売価、調理コード、フレーバー番号等のデータを送信し、自動販売機コントローラ５内のデータを書き換える。
【００１１】
ここで、各情報の設定をタッチパネル式映像装置１から行う場合について説明する。
販促等のコンテンツ情報を記憶した書き換え用コンパクトフラッシュ（登録商標）２をタッチパネル式映像装置１のコンパクトフラッシュ（登録商標）挿入口に挿入してハードディスク３の情報を書き換え、さらに内蔵バックアップ用コンパクトフラッシュ（登録商標）４の情報も書き換える。
この状態になったら、最新の情報に書き換えられたハードディスク３の情報を、タッチパネル式映像装置１のメンテナンスモードにより自動販売機コントローラ５に送信し、自動販売機コントローラ５の情報も書き換えるものである。
あるいは、書き換え用コンパクトフラッシュ（登録商標）２の情報をタッチパネル式映像装置１のメンテナンスモードにより自動販売機コントローラ５に送信し、データが書き換え変更されたことを検出し、しかも電源ＯＮ時に、自動販売機コントローラ５は書き換えられた情報である売価、フレーバー番号等のデータをタッチパネル式映像装置１のハードディスク３に送信する。さらにこのハードディスク３の最新情報を内蔵バックアップ用コンパクトフラッシュ（登録商標）４にデータを送信し、書き換えるものである。
【００１２】
次に、ロケ先等の要望や競合他社との関係で、売価や調理コードを自動販売機にて変更した場合について、図２に基づいて説明する。
（１）自動販売機コントローラ５は、売価、調理コード、フレーバー番号等のデータが変更されたことを検出し、タッチパネル式映像装置１のハードディスク３に売価、調理コード等の新しいデータを送信する。
（２）自動販売機コントローラ５からの売価、調理コード、フレーバー番号のデータをタッチパネル式映像装置１内のハードディスク３と内蔵バックアップ用コンパクトフラッシュ（登録商標）メモリー内のデータに対して書き換えを行う。
【００１３】
なお、自動販売機コントローラ５側でのバックアップデータの書き戻しができるようにすることは可能である。
【産業上の利用可能性】
【００１４】
既存のタッチパネル式の自動販売機が持っている電子データの追加や変更、削除がより簡単にできる。しかし、タッチパネル式映像装置が故障すると、なにも販売できなくなってしまうという問題を解消した自動販売機として利用できる。
【図面の簡単な説明】
【００１５】
【図１】本発明に係る自動販売機用タッチパネル式映像装置における商品入れ替えにより商品、販売画面を入れ替えた場合の一実施例を示すブロック図である。
【図２】本発明に係る自動販売機用タッチパネル式映像装置におけるロケ先の要望や、競合他社との関係で売価や、調理コードを自動販売機で変更した場合の一実施例を示すブロック図である。
【図３】本発明に係る自動販売機用タッチパネル式映像装置におけるタッチパネル式映像装置の動作手順を示すフローチャート図である。
【符号の説明】
【００１６】
１・・・・タッチパネル式映像装置
２・・・・書き換え用コンパクトフラッシュ（登録商標）
３・・・・ハードディスク
４・・・・内蔵バックアップ用コンパクトフラッシュ（登録商標）
５・・・・自動販売機コントローラ
【図１】
2006133985.tif 000003
【図２】
2006133985.tif 000004
【図３】
2006133985.tif 000005